(57)【要約】  情報の通信方法および通信装置は、前記情報を少なくとも、第１の部分情報と、第２の部分情報と、に分割するステップと、インデックスまたはグラマーを用いて前記第１の情報をコード化するために複数のドメインリソースを変調するステップと、ドメインリソースの変調により第２の情報をコード化するステップと、を備える。選択的に、前記複数のドメインリソースは、少なくとも２つの異なる変調方式を複数のサブキャリアに割り当てることにより第１の情報をコード化するために変調しても良い。変調方式は、どの変調方式をどのドメインリソースに割り当てるかを意図する前記インデックスまたは前記グラマーにしたがって、ドメインリソースに割り当てられる。前記第１の情報をコード化するために前記複数のドメインリソースを変調することは、第１のドメインの１以上のドメインリソースを用いて前記第１の部分情報の一部をコード化することを含むことができ、前記第１の部分情報の他の部分は、第２のドメインの１以上のドメインリソースを用いてコード化される。選択的に、第３のドメインの１以上のドメインリソースを用いて、少なくとも前記第１の部分情報のさらなる部分をコード化することを含むことができる。前記第１のドメイン、前記第２のドメインおよび前記第３のドメインのうちの少なくとも１つは、前記周波数ドメイン、前記時間ドメインおよび前記空間ドメインのうちの少なくとも１つ、または、周波数ドメインのサブチャネル、空間ドメインに配置されたビーム、および、時間ドメインのタイムスロットのうちの少なくとも１つを含むドメインリソース、もしくは、その両方を含んでも良い。少なくとも１つのドメインのドメインリソースに値が関連付けられ、前記第１の部分情報の少なくとも一部は、前記データの前記値を表示するドメインリソースを用いた信号を与えることによりコード化される。
2013504916.tif 000002
【特許請求の範囲】
【請求項１】
情報を少なくとも第１の部分情報および第２の部分情報に分割するステップと、
インデックスまたはグラマーを用いて前記第１の情報をコード化するために、複数のドメインリソースを変調するステップと、
前記第２の情報をドメインリソースの変調によりコード化するステップと、
を備えた情報の通信方法。
【請求項２】
前記第１の情報をコード化するために前記複数のドメインリソースを変調するステップは、少なくとも２つの異なる変調方式を複数のサブキャリアに割り当てることを含む請求項１記載の情報の通信方法。
【請求項３】
前記第１の部分情報のコード化は、どの変調方式をどのドメインリソースに割り当てるかを意図した前記インデックスまたはグラマーにしたがって、どの変調方式をどのドメインリソースに割り当てるかを選択することを含む請求項２記載の情報の通信方法。
【請求項４】
前記第１の情報をコード化するために前記複数のドメインリソースを変調するステップは、第１のドメインの１以上のドメインリソースを用いて前記第１の情報の一部をコード化することを含み、前記第１の情報の他の部分を、第２のドメインの１以上のドメインリソースを用いてコード化する請求項１〜３のいずれか１つに記載の情報の通信方法。
【請求項５】
前記第１の情報をコード化するために前記複数のドメインリソースを変調するステップは、第３のドメインの１以上のドメインリソースを用いて、少なくとも前記第１の部分情報のさらなる部分をコード化することを含む請求項４記載の情報通信の方法。
【請求項６】
前記第１のドメイン、前記第２のドメインおよび第３のドメインの少なくとも１つは、前記周波数ドメイン、時間ドメインおよび空間ドメインの少なくともいずれかを含むか、または、前記ドメインリソースは、周波数ドメインのサブチャネル、空間ドメインにおけるビーム、および、時間ドメインにおけるタイムスロットの少なくともいずれかを含む、もしくは、その両方である請求項４または５に記載の情報通信の方法。
【請求項７】
少なくとも１つのドメインのドメインリソースに値を関連付け、前記第１の部分情報の少なくとも一部は、前記データの前記部分の前記値を表示するドメインリソースを用いた信号を与えることによりコード化される請求項４〜６のいずれか１つに記載の情報通信の方法。
【請求項８】
少なくとも２つのドメインのドメインリソースに値を関連付け、前記第１の部分情報は、前記第１の部分情報の一部の前記値を表示する前記少なくとも２つドメインのドメインリソースを用いた信号を与えることにより少なくとも部分的にコード化される請求項７記載の情報通信の方法。
【請求項９】
情報を少なくとも第１の部分情報および第２の部分情報に分割するステップと、
少なくとも２つの異なる変調方式を複数のサブキャリアに割り当てることにより前記第１の部分情報をコード化するステップと、
前記複数のサブキャリアのうちの１つの群に属するサブキャリアの変調により前記第２の情報をコード化するステップと、
を備えた情報の通信方法。
【請求項１０】
前記第１の部分情報のコード化は、どの変調方式をどのサブキャリアに割り当てるかを意図したグラマーにしたがって、どの変調方式をどのサブキャリアに割り当てるかを選択することを含む請求項９記載の情報の通信方法。
【請求項１１】
それぞれのサブキャリアは、順に並んだインデックスのうちの１つのインデックスに関連付けられ、サブキャリアの前記変調方式は、前記関連付けられたインデックスに値を指定し、インデックスの並び順にしたがって並べられた指定値は、前記第１の部分情報を表すデータワードを与える請求項９または１０に記載の情報の通信方法。
【請求項１２】
２つの異なる変調方式だけをサブキャリアに割り当てることにより、前記第１の部分情報をコード化するステップを備える請求項９〜１１に記載の情報の通信方法。
【請求項１３】
第１の部分情報は、情報ビットの第１の群と、情報ビットの第２の群と、を含み、
複数の異なる第１の情報のコード化スキームであって、それぞれ前記第１の群および前記第２の群への変調方式の割り当てが異なる複数のスキームから第１の情報のコード化スキームを選択するステップをさらに備える請求項２、３または９〜１１のいずれか１つに記載の情報の通信方法。
【請求項１４】
前記複数の異なる第１の情報のコード化スキームは予め定められ、受信機と共有される請求項１３記載の情報の通信方法。
【請求項１５】
前記選択された第１の情報のコード化スキームを特定する制御情報を送信するステップをさらに備えた請求項１３または１４に記載の情報の通信方法。
【請求項１６】
サブキャリアの変調により前記制御情報をコード化するステップをさらに備えた請求項１５記載の情報の通信方法。
【請求項１７】
第１の部分情報において、情報ビットの第１の群と、情報ビットの第２の群と、を特定するステップと、
前記第１の群および前記第２の群のうちの大きな群を選択するステップと、
第１の複数のサブキャリアに第１の変調方式を割り当てるために前記大きな群を用いるステップと、
を備えた請求項２、３または９〜１６のいずれか１つに記載の情報の通信方法。
【請求項１８】
前記複数のサブキャリアの間における少なくとも２つの異なる変調方式の割り当てであって、前記残りの部分情報に対して利用できるバンド幅を最大化する変調方式の割り当てを決定するために第１の情報のコード化スキームを選択するステップをさらに備えた請求項２、３または９〜１７のいずれか１つに記載の情報の通信方法。
【請求項１９】
制御情報のコード化、および、第２の部分情報の部分の縮退したコード化の少なくともいずれか一方のために前記バンド幅のいくつかを使用するステップをさらに備えた請求項１８記載の情報の通信方法。
【請求項２０】
前記少なくとも２つの異なる変調方式は、第１の固定された振幅によりサブキャリアを変調する第１の変調方式と、第２の固定された振幅によりサブキャリアを変調する第２の変調方式と、を含む請求項２、３または９〜９のいずれか１つに記載の情報の通信方法。
【請求項２１】
前記少なくとも２つの異なる変調方式は、前記第１の振幅がサブキャリアの抑制を表し、前記第２の振幅が前記サブキャリアの非抑制を表すオンオフ変調（ＯＯＫ）を可能とする請求項２０記載の情報の通信方法。
【請求項２２】
前記抑制されたサブキャリアから前記非抑制のサブキャリアへの電力の再配分をさらに備えた請求項２、３または９〜２１のいずれか１つに記載の情報の通信方法。
【請求項２３】
前記少なくとも２つの異なる変調方式は、高次の変調によりサブキャリアを変調する第１の変調方式と、低次の変調によりサブキャリアを変調する第２の変調方式と、を含む請求項２、３または９〜１９のいずれか１つに記載の情報の通信方法。
【請求項２４】
前記情報を少なくとも第１の部分情報と、第２の部分情報と、に分割する手段と、
少なくとも２つの異なる変調方式を複数のサブキャリアに割り当てることにより前記第１の部分情報をコード化する手段と、
複数のサブキャリアのうちの１つの群に属するサブキャリアの変調により第２の情報をコード化する手段と、
を備えた送信装置。
【請求項２５】
請求項３または１０〜２３のいずれか１つの方法を実施する手段をさらに備えた請求項２４記載の送信装置。
【請求項２６】
前記情報を少なくとも第１の部分情報と、第２の部分情報と、に分割するように構成された分割回路と、
少なくとも２つの異なる変調方式を複数のサブキャリアに割り当てることにより、前記第１の部分情報をコード化するように構成されたキャリア間変調回路と、
前記複数のサブキャリアのうちの１つの群に属するサブキャリアの変調により第２の情報をコード化するように構成されたキャリア内変調回路と、
を備えた送信装置。
【請求項２７】
少なくとも２つの異なる変調方式の複数のサブキャリアへの割り当てを決定することにより第１の部分情報を復号するステップと、
前記複数のサブキャリアの１つの群に属するサブキャリアの復調により第２の情報を復号するステップと、
前記第１の部分情報と、前記第２の部分情報と、を結合するステップと、
を備えた情報の通信方法。
【請求項２８】
前記第１の部分情報の復号は、どの変調方式がどのサブキャリアに割り当てられるかを決定し、どの変調方式をどのサブキャリアに割り当てるかを意図するグラマーにしたがって、意図を適用することを含む請求項２７記載の情報の通信方法。
【請求項２９】
それぞれのサブキャリアは、順に並んだインデックスのうちの１つのインデックスに関連付けられ、サブキャリアの変調方式は、前記関連付けられたインデックスに１つの値を指定し、前記順に並んだインデックスにしたがって並べられた指定値は、前記第１の部分情報を表すデータワードを与える請求項２７または２８記載の情報の通信方法。
【請求項３０】
どの変調方式がどのサブキャリアに割り当てられているかを決定するステップと、
コード化スキームのそれぞれが自らのグラマーを有しており、どの変調方式をどのサブキャリアへ割り当てるかを意図したグラマーにしたがって意図を適用し、異なるコード化スキームにしたがって前記第１の部分情報を復号するステップと、
異なるコード化スキームにしたがって生成された前記第１の部分情報の１つを選択するステップと、
を備えた請求項２７〜２９のいずれか１つに記載の情報の通信方法。
【請求項３１】
前記コード化スキームが用途であることを特定するステップと、
どの変調方式がどのサブキャリアに割り当てられているかを決定し、どの変調方式がどのサブキャリアに割り当てられるかを意図した前記特定されたコード化スキームのグラマーにしたがって意図を適用することにより第１の部分情報を復号するステップと、を備えた請求項２７〜２９のいずれか１つに記載の情報の通信方法。
【請求項３２】
少なくとも２つの異なる変調方式は、高次の変調によりサブキャリアを変調する第１の変調方式と、低次の変調によりサブキャリアを変調する第２の変調方式と、を含む請求項２７〜３１のいずれか１つに記載の情報の通信方法。
【請求項３３】
複数のサブキャリアへの少なくとも２つの変調方式の割り当てを決定することにより、第１の部分情報を復号する手段と、
前記複数のサブキャリアのうちの１つの群に属するサブキャリアの復調により第２の情報を復号する手段と、
前記第１の部分情報と、前記第２の部分情報と、を結合する手段と、
を備えた受信装置。
【請求項３４】
請求項２８〜３２のいずれか１つの方法を実施する手段をさらに備えた請求項３３記載の受信装置。
【請求項３５】
複数のサブキャリアへの少なくとも２つの変調方式の割り当てを決定することにより、第１の部分情報を復号するように構成されたキャリア間変調検出回路と、
前記複数のサブキャリアの１つの群に属するサブキャリアの復調により第２の情報を復号するように構成されたキャリア内変調回路と、
前記第１の部分情報と、前記第２の部分情報と、を結合するように構成された結合回路と、
を備えた受信装置。
【請求項３６】
請求項３５の受信装置と、請求項２４の送信装置と、を備えたシステム。
【請求項３７】
実質的に図面に表され、または、図面を参照して説明され、もしくは、その両方である方法または装置。
【請求項３８】
情報を少なくとも第１の部分情報と、第２の部分情報と、に分割するステップと、
複数の無線チャネルに動作パターンを割り当てることにより前記第１の部分情報を通信するステップと、
１以上の前記無線チャネルを介した無線通信により前記第２の情報を通信するステップと、
を備えた情報の通信方法。
【請求項３９】
無線チャネルは複数の潜在的な異なる状態を有し、前記状態の集合は前記動作パターンを形成し、前記第１の情報は、ぞれぞれの無線チャネルに対し１つの状態を割り当てることにより通信される請求項３８記載の情報の通信方法。
【請求項４０】
前記無線チャネルは、異なる変調状態を有する直交したサブキャリアを含む請求項３９記載の情報の通信方法。
【請求項４１】
前記無線チャネルは、異なる変調状態を有するタイムスロットを含む請求項３９記載の情報の通信方法。
【請求項４２】
情報を少なくとも第１の部分情報と、第２の部分情報と、に分割するステップと、
複数の直交した多重ドンメインサブユニットへ少なくとも２つの変調方式を割り当てることにより、前記第１の部分情報をコード化するステップと、
前記複数の直交した多重ドメインサブユニットのうちの１つの群に属する直交した多重ドメインサブユニットの変調により第２の情報をコード化するステップと、
を備えた情報の通信方法。
【請求項４３】
情報を少なくとも第１の部分情報と、第２の部分情報と、に分割するステップと、
ドメインリソースインデックス変調を用いて前記第１の情報をコード化するステップと、
ドメインリソースの変調により前記第２の情報をコード化するステップと、
を備えた情報の通信方法。
【請求項４４】
情報を少なくとも第１の部分情報と、第２の部分情報と、に分割するステップと、
ドメイン間のリソースの差別化を用いて前記第１の情報をコード化するステップと、
ドメインリソースの変調により前記第２の情報をコード化するステップと、
を備えた情報の通信方法。
【請求項４５】
情報を少なくとも第１の部分情報と、第２の部分情報と、第３の部分情報と、に分割するステップと、
複数の第１の直交した多重ドンメインサブユニットへ少なくとも２つの変調方式を割り当てることにより、前記第１の部分情報をコード化するステップと、
複数の第２の直交した多重ドンメインサブユニットへ少なくとも２つの変調方式を割り当てることにより、前記第２の部分情報をコード化するステップと、
前記複数の第１の直交した多重ドメインサブユニットおよび第２の直交した多重ドメインサブユニットのうちの１つの群に属する直交した多重ドメインサブユニットの変調により第３の情報をコード化するステップと、
を備えた情報の通信方法。
【請求項４６】
情報を少なくともＮ個の部分に分割するステップと、
少なくとも２つの異なる変調方式を複数の直交した多重ドメインサブユニットに割り当てることにより前記Ｎ個の部分のうちのＭ個のそれぞれをコード化するステップと、
直交した多重ドメインサブユニットの変調によりＮ−Ｍ個の前記部分をコード化するステップと、
を備えた情報の通信方法。
【請求項４７】
少なくとも、２Ｍ個の異なる変調方式を複数の直交する多重ドメインサブユニットに割り当てることによりＭ個の前記部分のうちの少なくとも１つをコード化する請求項４６記載の情報の通信方法。
【請求項４８】
前記複数の直交した多重ドメインサブユニットは、２以上のドメインからのドメインサブユニットを含む請求項４６または４７に記載の情報の通信方法。
【請求項４９】
前記複数の直交した多重ドメインサブユニットは、前記周波数ドメイン、前記時間ドメインおよび前記空間ドメインのうちの２以上のドメインサブユニットを含む請求項４８記載の情報の通信方法。
【請求項５０】
前記複数のサブキャリアは、２以上のドメインのサブキャリアを含む請求項２記載の情報の通信方法。
【請求項５１】
複数のサブキャリアは、前記周波数ドメイン、前記時間ドメインおよび前記空間ドメインのうちの２以上のサブキャリアを含む請求項５０記載の情報の通信方法。
【請求項５２】
少なくとも第１の部分情報が第１のドメインの１以上のサブユニットを用いてコード化され、少なくとも第２の部分情報が第２のドメインの１以上のサブユニットを用いてコード化される情報の通信方法。
【請求項５３】
第３のドメインの１以上のサブユニットを用いて少なくとも第３の部分情報をコード化するステップを備える請求項５２記載の情報の通信方法。
【請求項５４】
前記ドメインは、前記周波数ドメイン、前記時間ドメインおよび前記空間ドメインのうちの少なくとも１つを含む請求項５２または５３に記載の情報の通信方法。
【請求項５５】
少なくとも１つのドメインのサブキャリアに値が関連付けられ、前記データのそれぞれの部分が、前記データの前記部分の前記値を表示するサブユニットを用いた信号を与えることによりコード化される請求項５２〜５４のいずれか１つに記載の情報の通信方法。
【請求項５６】
少なくとも２つの異なる変調方式を少なくとも１つのドメインにおける複数のサブユニットに割り当てることにより、前記データの部分のコード化を提供するステップを備える請求項５５記載の情報の通信方法。
【発明の詳細な説明】
【技術分野】
【０００１】
本発明の実施形態は、情報の通信方法、送信装置、受信装置およびシステムに関する。特に、多重キャリアを変調する情報通信に関し、直交周波数分割多重（orthogonal frequency division multiplexing：ＯＦＤＭ）サブキャリアの変調による情報通信に関係する。
【背景技術】
【０００２】
変調とは、情報をコード化するために搬送波を変更（modify）または変調する技術である。
【０００３】
一例として、周波数が固定された搬送波では、情報をコード化するために搬送波の振幅または搬送波の位相を変化させることにより搬送波の変調を実現できる。コード化された異なる情報間の曖昧さを改善するために、情報をコード化するための搬送波の振幅および位相の変化は、一般的に離散的である。
【０００４】
バンド幅（１秒間に伝送される情報量）を増すために、搬送波は、位相がπ／２ラジアンだけ異なる直交成分（I成分およびQ成分）に分離される。そして、直交成分は、独立に変調される。
【０００５】
現在の変調技術として、例えば、２値位相変調（binary phase shift keying：BPSK）、および、多重直角位相振幅変調（multilevel quadrature amplitude modulation：M-QAM）を例示することができる。
【０００６】
変調は、与えられたバンド幅において、（シャノンの式に従う上限が存在するとしても）より多くの情報を搬送することを可能とし、情報の伝送速度を速くする。
【０００７】
直交周波数分割多重（ＯＦＤＭ）では、多重化された搬送波が定義される。これらは、副搬送波（サブキャリア）であり、相互に直交する。このため、それぞれのサブキャリアを独立に変調することが可能である。
【０００８】
そして、データの送受信を向上させることが望まれる。
【発明の概要】
【０００９】
本発明の多様な、しかし、必然ではない、全ての実施形態にしたがって、添付した特許請求の範囲により明らかにされる形態を含む実施形態が提供される。
【００１０】
本発明の第１の態様にしたがう情報の通信方法は、情報を少なくとも第１の部分情報および第２の部分情報に分割するステップと、インデックスまたはグラマーを用いて前記第１の情報をコード化するために、複数のドメインリソースを変調するステップと、ドメインリソースの変調により前記第２の情報をコード化するステップと、を備える。
【００１１】
前記第１の情報をコード化するために前記複数のドメインリソースを変調するステップは、少なくとも２つの異なる変調方式を複数のサブキャリアに割り当てることを含んでも良い。
【００１２】
前記第１の部分情報のコード化は、どの変調方式をどのドメインリソースに割り当てるかを意図した前記インデックスまたはグラマーにしたがって、どの変調方式をどのドメインリソースに割り当てるかを選択することを含んでも良い。
【００１３】
前記第１の情報をコード化するために前記複数のドメインリソースを変調するステップは、第１のドメインの１以上のドメインリソースを用いて前記第１の情報の一部をコード化することを含むことができ、前記第１の情報の他の部分を、第２のドメインの１以上のドメインリソースを用いてコード化する。
【００１４】
前記第１の情報をコード化するために前記複数のドメインリソースを変調するステップは、第３のドメインの１以上のドメインリソースを用いて、少なくとも前記第１の部分情報のさらなる部分をコード化することを含んでも良い。
【００１５】
前記第１のドメイン、前記第２のドメインおよび第３のドメインの少なくとも１つは、前記周波数ドメイン、時間ドメインおよび空間ドメインの少なくともいずれかを含むか、または、前記ドメインリソースは、周波数ドメインのサブチャネル、空間ドメインにおけるビーム、および、時間ドメインにおけるタイムスロットの少なくともいずれかを含むか、もしくは、その両方であっても良い。
【００１６】
少なくとも１つのドメインのドメインリソースに値を関連付けることができ、前記第１の部分情報の少なくとも一部は、前記データの前記部分の前記値を表示するドメインリソースを用いた信号を与えることによりコード化される。
【００１７】
少なくとも２つのドメインのドメインリソースに値を関連付けることができ、前記第１の部分情報は、前記第１の部分情報の一部の前記値を表示する前記少なくとも２つドメインからドメインリソースを用いた信号を与えることにより少なくとも部分的にコード化される。
【００１８】
本発明のさらなる態様にしたがう情報の通信方法は、情報を少なくとも第１の部分情報および第２の部分情報に分割するステップと、少なくとも２つの異なる変調方式を複数のサブキャリアに割り当てることにより前記第１の部分情報をコード化するステップと、前記複数のサブキャリアのうちの１つの群に属するサブキャリアの変調により前記第２の情報をコード化するステップと、を備える。
【００１９】
前記第１の部分情報のコード化は、どの変調方式をどのサブキャリアに割り当てるかを意図したグラマーにしたがって、どの変調方式をどのサブキャリアに割り当てるかを選択することを含んでも良い。
【００２０】
それぞれのサブキャリアは、順に並んだインデックスのうちの１つのインデックスに関連付けることができ、サブキャリアの前記変調方式は、前記関連付けられたインデックスに値を指定し、インデックスの並び順にしたがって並べられた指定値は、前記第１の部分情報を表すデータワードを与える。
【００２１】
前記方法は、２つの異なる変調方式だけをサブキャリアに割り当てることにより、前記第１の部分情報をコード化するステップを備えても良い。
【００２２】
第１の部分情報は、情報ビットの第１の群と、情報ビットの第２の群と、を含んでも良い。前記方法は、複数の異なる第１の情報のコード化スキームであって、それぞれ前記第１の群および前記第２の群への変調方式の割り当てが異なる複数のスキームから第１の情報のコード化スキームを選択するステップをさらに備えても良い。
【００２３】
前記複数の異なる第１の情報のコード化スキームは、予め定められ、受信機と共有することができる。
【００２４】
前記方法は、前記選択された第１の情報のコード化スキームを特定する制御情報を伝送するステップを備えても良い。
【００２５】
前記方法は、サブキャリアの変調により前記制御情報をコード化するステップを備えても良い。
【００２６】
前記方法は、第１の部分情報において、情報ビットの第１の群と、情報ビットの第２の群と、を特定するステップと、前記第１の群および前記第２の群のうちの大きな群を選択するステップと、第１の複数のサブキャリアに第１の変調方式を割り当てるために前記大きな群を用いるステップと、を備えても良い。
【００２７】
前記方法は、前記複数のサブキャリアの間における少なくとも２つの異なる変調方式の割り当てであって、前記残りの部分情報に対して利用できるバンド幅を最大化する変調方式の割り当てを決定するために第１の情報のコード化スキームを選択するステップを備えても良い。
【００２８】
前記方法は、制御情報のコード化、および、第２の部分情報の部分の縮退したコード化の少なくともいずれか一方のために前記バンド幅のいくつかを使用するステップを備えても良い。
【００２９】
前記少なくとも２つの異なる変調方式は、第１の固定された振幅によりサブキャリアを変調する第１の変調方式と、第２の固定された振幅によりサブキャリアを変調する第２の変調方式と、を含んでも良い。
【００３０】
前記少なくとも２つの異なる変調方式は、前記第１の振幅がサブキャリアの抑制を表し、前記第２の振幅が前記サブキャリアの非抑制を表すオンオフ変調（ＯＯＫ）を可能としても良い。
【００３１】
前記方法は、前記抑制されたサブキャリアから前記非抑制のサブキャリアへの電力の再配分を備えることができる。
【００３２】
少なくとも２つの異なる変調方式は、高次の変調によりサブキャリアを変調する第１の変調方式と、低次の変調によりサブキャリアを変調する第２の変調方式と、を含んでも良い。
【００３３】
前記複数のサブキャリアは、２以上のドメイン、例えば、前記周波数ドメイン、前記時間ドメインおよび前記空間ドメインのサブキャリアを含んでも良い。
【００３４】
本発明の第２の態様にしたがう送信装置は、前記情報を少なくとも第１の部分情報と、第２の部分情報と、に分割する手段と、少なくとも２つの異なる変調方式を複数のサブキャリアに割り当てることにより前記第１の部分情報をコード化する手段と、複数のサブキャリアのうちの１つの群に属するサブキャリアの変調により第２の情報をコード化する手段と、を備える。
【００３５】
前記送信装置は、前記第１の態様に係る前記方法を実行する手段を備えても良い。
【００３６】
本発明の第３の態様にしたがう送信装置は、前記情報を少なくとも第１の部分情報と、第２の部分情報と、に分割するように構成された分割回路と、少なくとも２つの異なる変調方式を複数のサブキャリアに割り当てることにより、前記第１の部分情報をコード化するように構成されたキャリア間変調回路と、前記複数のサブキャリアのうちの１つの群に属するサブキャリアの変調により第２の情報をコード化するように構成されたキャリア内変調回路と、を備える。
【００３７】
本発明の第４の態様にしたがう情報の通信方法は、少なくとも２つの異なる変調方式の複数のサブキャリアへの割り当てを決定することにより第１の部分情報を復号するステップと、前記複数のサブキャリアの１つの群に属するサブキャリアの復調により第２の情報を復号するステップと、前記第１の部分情報と、前記第２の部分情報と、を結合するステップと、を備える。
【００３８】
前記第１の部分情報の復号は、どの変調方式がどのサブキャリアに割り当てられているかを決定し、どの変調方式をどのサブキャリアに割り当てるかを意図するグラマーにしたがって、意図を適用することを含んでも良い。
【００３９】
それぞれのサブキャリアは、順に並んだインデックスのうちの１つのインデックスに関連付けることができ、サブキャリアの変調方式は、前記関連付けられたインデックスに１つの値を指定し、前記順に並んだインデックスにしたがって並べられた指定値は、前記第１の部分情報を表すデータワードを与える。
【００４０】
前記方法は、どの変調方式がどのサブキャリアに割り当てられているかを決定するステップと、コード化スキームのそれぞれが自らのグラマーを有しており、どの変調方式をどのサブキャリアへ割り当てるかを意図したグラマーにしたがって意図を適用し、異なるコード化スキームにしたがって前記第１の部分情報を復号するステップと、異なるコード化スキームにしたがって生成された前記第１の部分情報の１つを選択するステップと、を備えても良い。
【００４１】
前記方法は、前記コード化スキームが用途であることを特定するステップと、どの変調方式がどのサブキャリアに割り当てられているかを決定し、どの変調方式がどのサブキャリアに割り当てられるかを意図した前記特定されたコード化スキームのグラマーにしたがって意図を適用することにより第１の部分情報を復号するステップと、を備えても良い。
【００４２】
少なくとも２つの異なる変調方式は、高次の変調によりサブキャリアを変調する第１の変調方式と、低次の変調によりサブキャリアを変調する第２の変調方式と、を含んでも良い。
【００４３】
本発明の第５の態様にしたがう受信装置は、複数のサブキャリアへの少なくとも２つの変調方式の割り当てを決定することにより、第１の部分情報を復号する手段と、前記複数のサブキャリアのうちの１つの群に属するサブキャリアの復調により第２の情報を復号する手段と、前記第１の部分情報と、前記第２の部分情報と、を結合する手段と、を備える。
【００４４】
前記受信装置は、第４の態様に係る前記方法を実施する手段を備えても良い。
【００４５】
本発明の第６の態様にしたがう受信装置は、複数のサブキャリアへの少なくとも２つの変調方式の割り当てを決定することにより、第１の部分情報を復号するように構成されたキャリア間変調検出回路と、前記複数のサブキャリアの１つの群に属するサブキャリアの復調により第２の情報を復号するように構成されたキャリア内変調回路と、前記第１の部分情報と、前記第２の部分情報と、を結合するように構成された結合回路と、を備える。
【００４６】
本発明の第７の態様にしたがうシステムは、第６の態様に係る前記受信装置と、第６の態様に係る送信装置と、を備える。
【００４７】
本発明の第８の態様にしたがう方法または装置は、実質的に図面に表され、または、図面を参照して説明され、もしくは、その両方である。
【００４８】
本発明の第９の態様にしたがう情報の通信方法は、情報を少なくとも第１の部分情報と、第２の部分情報と、に分割するステップと、複数の無線チャネルに動作パターンを割り当てることにより前記第１の部分情報を通信するステップと、１以上の前記無線チャネルを介した無線通信により前記第２の情報を通信するステップと、を備える。
【００４９】
無線チャネルは複数の潜在的な異なる状態を有することができ、前記状態の集合は前記動作パターンを形成し、前記第１の情報は、ぞれぞれの無線チャネルに対し１つの状態を割り当てることにより通信される。
【００５０】
前記無線チャネルは、異なる変調状態を有する直交したサブキャリアを含むことができる。
【００５１】
前記無線チャネルは、異なる変調状態を有するタイムスロットを含むことができる。
【００５２】
本発明の第１０の態様にしたがう情報の通信方法は、情報を少なくとも第１の部分情報と、第２の部分情報と、に分割するステップと、複数の直交した多重ドンメインサブユニットへ少なくとも２つの変調方式を割り当てることにより、前記第１の部分情報をコード化するステップと、前記複数の直交した多重ドメインサブユニットのうちの１つの群に属する直交した多重ドメインサブユニットの変調により第２の情報をコード化するステップと、を備える。
【００５３】
本発明の第１１の態様にしたがう情報の通信方法は、情報を少なくとも第１の部分情報と、第２の部分情報と、に分割するステップと、ドメインリソースインデックス変調を用いて前記第１の情報をコード化するステップと、ドメインリソースの変調により前記第２の情報をコード化するステップと、を備える。
【００５４】
本発明の第１２の態様にしたがう情報の通信方法は、情報を少なくとも第１の部分情報と、第２の部分情報と、に分割するステップと、ドメイン間のリソースの差別化を用いて前記第１の情報をコード化するステップと、ドメインリソースの変調により前記第２の情報をコード化するステップと、を備える。
【００５５】
本発明の第１３の態様にしたがう情報の通信方法は、情報を少なくとも第１の部分情報と、第２の部分情報と、第３の部分情報と、に分割するステップと、複数の第１の直交した多重ドンメインサブユニットへ少なくとも２つの変調方式を割り当てることにより、前記第１の部分情報をコード化するステップと、複数の第２の直交した多重ドンメインサブユニットへ少なくとも２つの変調方式を割り当てることにより、前記第２の部分情報をコード化するステップと、前記複数の第１の直交した多重ドメインサブユニットおよび第２の直交した多重ドメインサブユニットのうちの１つの群に属する直交した多重ドメインサブユニットの変調により第３の情報をコード化するステップと、を備える。
【００５６】
本発明の第１４の態様にしたがう情報の通信方法は、情報を少なくともＮ個の部分に分割するステップと、少なくとも２つの異なる変調方式を複数の直交した多重ドメインサブユニットに割り当てることにより前記Ｎ個の部分のうちのＭ個のそれぞれをコード化するステップと、直交した多重ドメインサブユニットの変調によりＮ−Ｍ個の前記部分をコード化するステップと、を備える。
【００５７】
前記方法は、少なくとも、２Ｍ個の異なる変調方式を複数の直交する多重ドメインサブユニットに割り当てることによりＭ個の前記部分のうちの少なくとも１つをコード化しても良い。
【００５８】
前記複数の直交した多重ドメインサブユニットは、２以上のドメイン、例えば、前記周波数ドメイン、前記時間ドメインおよび前記空間ドメインのドメインサブユニットを含んでも良い。
【図面の簡単な説明】
【００５９】
本発明の実施形態の多様な例を良く理解するために、例示だけの目的で以下の図面を参照する。
【００６０】
【図１】情報の通信方法を表す模式図である。
【図２】好適なコード化／送信装置１０を表す模式図である。
【図３】情報（ａ）を第１の部分情報（ｂ）および第２の部分情報（ｃ）に分割する方法と、第１の分割情報に基づく異なる直交サブキャリアへの異なる変調方式の割り当て（ｄ）と、第２の部分情報のどのシンボルがどのサブキャリアに割り当てられるか（ｅ）と、第１の部分情報を表すデータワードの再生（ｆ）と、第２の部分情報を表すデータワードの再生（ｇ）と、を例示する模式図である。
【図４】情報（ａ）を第１の部分情報（ｂ）、第２の部分情報（ｃ）、および、第３の部分情報（ｄ）に分割する方法と、異なるどの変調方式が第１の部分情報にもとづくどの直交サブキャリアに割り当てられるか（ｅ）と、第２の部分情報のどのシンボルがどのサブキャリアの上に変調されるか（ｆ）と、第１の部分情報を表すデータワードの再生（ｇ）と、第２の部分情報を表すデータワードの再生（ｈ）と、第３の部分情報を表すデータワードの再生（ｉ）と、を例示する模式図である。
【図５】第１の部分情報への変調方式の異なる割り当てをそれぞれ有する複数の異なるコード化スキームからコード化スキームを選択する方法を表す模式図である。
【図６】好適な復号／受信装置を表す模式図である。
【図７】時間−周波数ブロックを表す模式図である。
【図８】周期遅延ダイバーシティ変調スキームを表す模式図である。
【図９】時間−周波数−空間ブロックを表す模式図である。
【図１０】多重ドメインのコード化を例示する模式図である。
【図１１】多重ドメインのコード化を適用するのに適した送信および受信装置を表す模式図である。
【発明を実施するための形態】
【００６１】
図１は、情報を通信するための方法２を模式的に表している。その方法は、直列につながった逐次的なブロック４、６、８を含む。
【００６２】
ブロック８において、情報は、少なくとも第１の部分情報と、第２の部分情報と、に分割される。
【００６３】
図３（ａ）に表すように、情報１１は、例えば、図示した２値ビットの連なりのような情報ビットの並びである。
【００６４】
図３（ｂ）および（ｃ）に表すように、第１の部分情報１３と、第２の部分情報１５と、は、情報１１の重複しない部分である。
【００６５】
図１に戻ると、ブロック６において、第１の部分情報１３は、少なくとも２つの異なる変調方式を複数の直交周波数分割多重（ＯＦＤＭ）サブキャリアに割り当てることによりコード化される。
【００６６】
直交するサブキャリアＦ１〜Ｆ８への異なる変調方式Ｍ１、Ｍ２の割り当ての一例を図３（ｄ）に示す。同図は、どの変調方式が、どのサブキャリアに割り当てられたかを記録した変調マップ１７を表している。
【００６７】
第１の部分情報１３のコード化は、どの変調方式をどのサブキャリアに割り当てるかを意図したグラマー（grammar）にしたがって、どの変調方式を、どのサブキャリアに割り当てるかを選択することを含む。
【００６８】
変調マップは、順に並んだインデックス２１を有する。この例では、インデックスは、１から８まで順に増加する。インデックス２１のそれぞれは、第１の部分情報１３の特定の情報ビットに関連づけられる。サブキャリアＦ１〜Ｆ８のそれぞれは、特定のインデックス２１に関連づけられる。特定のインデックスにおける 第１の部分情報１３のビット値は、そのインデックスに関連付けられたサブキャリアの変調方式に割り当てられる。
【００６９】
この例では、第１の部分情報１３におけるビット値１に変調方式Ｍ１を割り当て、第１の部分情報１３におけるビット値０に変調方式Ｍ２を割り当てるグラマーを見ることができる。
【００７０】
このグラマーは、受信器がサブキャリアの変調方式を検出し、第１の部分情報１３をデータワード２２として再生できるように、受信器にも共用される。受信機では、サブキャリアの変調方式に関連づけられた値をそのインデックスに指定する。そして、その指定値は、インデックスの並びしたがって順序付けられ、図３（ｆ）に表すように第１の部分情報１１を表すデータワード２２を与える。
【００７１】
第１の部分情報１３のコード化は、異なるサブキャリアに用いられる変調方式の違いに帰結する。図３（ｄ）の例では、２つの異なる変調方式Ｍ１、Ｍ２が用いられる。８つのサブキャリアのうちの第１の群（Ｆ１、Ｆ４、Ｆ６、Ｆ７）は、第１の変調方式Ｍ１を用いて変調される。８つのサブキャリアのうちの第２の群（Ｆ２、Ｆ３、Ｆ５、Ｆ８）は、第２の変調方式Ｍ２を用いて変調される。
【００７２】
次に、図１に戻ると、ブロック８では、複数のサブキャリアのうちの一群に属するサブキャリアの変調により、第２の部分情報１５がコード化される。
【００７３】
図３（ｅ）によれば、シンボルマップ２０は、どのシンボルが、どのサブキャリアの上に変調されるかを記録している。第２の部分情報１５はシンボルに分割され、それぞれのシンボルは、１つのサブキャリアの上に順に変調される。この例では、全てのシンボルは、８つのサブキャリアのうちの第１の群（Ｆ１、Ｆ４、Ｆ６、Ｆ７）の上だけに変調される。
【００７４】
つまり、ブロック６では、第１の部分情報１３をキャリア間の変調を用いてコード化する。情報は、キャリア間に違いを生じさせることによりコード化される。第１の部分情報１３は、どの変調方式をどのサブキャリアに割り当てるかを意図したグラマーにしたがって、変調方式をサブキャリアに割り当てることによりコード化される。ブロック８では、キャリア内変調により第２の部分情報をコード化する。そして、キャリア内で検出可能な違い（すなわち、位相または振幅、もしくは、その両方）を生じさせることによりシンボルをコード化する。
【００７５】
図２は、好適なコード化装置１０を模式的に表している。コード化装置１０は、分割ブロック１２と、キャリア間変調ブロック１４と、キャリア内変調ブロック１６と、を含む。この例では、分割ブロックは、方法２におけるブロック４を実行する。キャリア間変調クロック１４は、方法２におけるブロック６を実行する。キャリア内変調ブロック１６は、方法２におけるブロック８を実行する。
【００７６】
これらのブロックは、ソフトウェアまたはハードウェア、もしくは、ソフトウェアとハードウェアの結合により実行することができる。
【００７７】
分割ブロック１２は、情報１１を、少なくとも第１の部分情報１３と、第２の部分情報１５と、に分割する。
【００７８】
キャリア間変調ブロック１４は、少なくとも２つの異なる変調方式を複数のサブキャリアに割り当てることにより、第１の部分情報１３をコード化する。
【００７９】
キャリア内変調ブロック１６は、キャリア間変調ブロック１４によるサブキャリアへの変調方式の割り当てを特定するデータ１７を受け取り、サブキャリアの１つの群の変調により第２の部分情報１５をコード化する。そして、変調されたサブキャリア１９が伝送される。
【００８０】
図６は、好適な復号化装置３０を模式的に表している。復号化装置３０は、結合ブロック３２と、キャリア間変調検出ブロック３４と、キャリア内復調ブロック３６と、を含む。
【００８１】
これらのブロックは、ソフトウェアまたはハードウェア、もしくは、ソフトウェアとハードウェアの結合により実行することができる。
【００８２】
キャリア間検出ブロック１４は、それぞれのサブキャリアにおける変調方式を検出することにより第１の部分情報１３を復号する。検出された変調方式は、グラマーにしたがってインデックスに関連づけられたキャリアに値を指定する。そして、インデックスの並び順に従って整理された指定値は、図３（ｆ）に示すように第１の部分情報１１を表すデータワード２２を与える。
【００８３】
キャリア内復号ブロックは、サブキャリアへの変調方式の割り当てを特定するデータ１７を受け取り、サブキャリアの１つの群を復調して第２の部分情報１５を表すデータワード２４を復号する。
【００８４】
結合ブロック３２は、第１の部分情報１３と、第２の部分情報１５と、を結合し、情報１１を再生する。
【００８５】
図３（ａ）〜（ｇ）に表した例では、２つの異なる変調方式は、表示されたＭ１およびＭ２である。
【００８６】
一実施形態において、第１の変調方式Ｍ１は、割り当てられたサブキャリアを第１の固定された振幅に変調し、第２の変調方式は、割り当てられたサブキャリアを第２の固定された振幅に変調しても良い。固定された振幅は、第１の変調方式だけが第２の部分情報１５をコード化するために用いられるオンオフ変調（on-off keying ：OOK）を可能とすることができる。オンオフ変調は、第２の振幅をサブキャリアの抑制とし、第１の振幅をサブキャリアの非抑制とすることによりコード化できる。
【００８７】
サブキャリアが抑制された状態では、異なる電力制御の方策が用いられる。サブキャリアの抑制は、キャリアが送信されず、関連した電力がゼロであることを意味する。
【００８８】
１つの電力制御の方策では、電力の再分配が行われない。したがって、サブキャリアが抑制されれば、その電力は削減される。
【００８９】
異なる電力制御の方策では、電力の再分配が行われる。全送信電力は一定に保たれ、抑制されるサブキャリアが多くなるほど、サブキャリア当たりの電力が増える。結果として、サブキャリア当たりの電力が増大する。これにより、Ｓ／Ｎ比を向上させ、ビット誤り率（bit-error ratio）を低減できる。また、より高次の変調スキームを選択することが可能となり、伝送速度を高速化することも可能となる。
【００９０】
他の実施形態では、変調方式Ｍ１、Ｍ２の両方を、第２の部分情報１５のコード化に用いることができる。
【００９１】
他の実施形態では、変調方式Ｍ１、Ｍ２の両方を、第２の部分情報１５のコード化、および、第３の部分情報４０の付加に用いることができる。図１および図４（ａ）〜（ｉ）を参照して、１つの例を以下に説明する。
【００９２】
ブロック４において、情報１１’は、分割ブロック１２により、少なくとも第１の部分情報１３、第２の部分情報１５および第３の部分情報４０に分割される。
【００９３】
図４（ａ）に示すように、情報１１’は、例えば、図示された２値ビットが連なる情報ビットの並びである。
【００９４】
図４（ｂ）、（ｃ）および（ｄ）に表すように、第１の部分情報、第２の部分情報および第３の部分情報は、情報１１’の重複しない部分である。
【００９５】
図１を再び参照すると、ブロック６では、キャリア間変調ブロック１４において、複数の直交周波数分割多重（ＯＦＤＭ）サブキャリアに、少なくとも２つの異なる変調方式を割り当てることにより第１の部分情報１３がコード化される。
【００９６】
直交するサブキャリアＦ１〜Ｆ８に異なる変調方式Ｍ１、Ｍ２を割り当てる一例を、図４（ｄ）に示す。同図は、どの変調方式が、どのサブキャリアに割り当てられたかを記録した変調マップ１７である。第１の部分情報１３のコード化は、サブキャリアに適用される変調方式の違いに帰結する。この例では、８つのサブキャリアのうちの第１の群（Ｆ１、Ｆ４、Ｆ６、Ｆ７）は、第１の変調方式Ｍ１を用いて変調される。８つのサブキャリアのうちの第２の群（Ｆ２、Ｆ３、Ｆ５、Ｆ６）は、第２の変調方式Ｍ２を用いて変調される。
【００９７】
次に、図１に戻ると、ブロック８では、キャリア内変調ブロック１６における複数のサブキャリアの第１の群に属するサブキャリアの変調により、第２の部分情報１５がコード化される。
【００９８】
図４（ｆ）を参照すると、シンボルマップ４２は、どのシンボルが、どのサブキャリア上に変調されたかを記録している。
【００９９】
第２の部分情報は、複数のシンボルに分割され、それぞれのシンボルは、順に、サブキャリア上に変調される。この例では、全てのシンボルは、８つのサブキャリアのうちの第１の群（Ｆ１、Ｆ４、Ｆ６、Ｆ７）の上だけに変調される。
【０１００】
次に、図１に戻ると、第３の部分情報４０に対しブロック８が再び実行される。ブロック８では、キャリア内変調ブロック１６における複数のサブキャリアのうちの第２の群に属するサブキャリアの変調により、第３の部分情報４０がコード化される。
【０１０１】
この例では、第３の部分情報４０は、複数のシンボルに分割され、それぞれのシンボルは、サブキャリアの第２の群（Ｆ２、Ｆ３、Ｆ５、Ｆ８）の１つの上に変調される。
【０１０２】
復号器３０では、キャリア間検出ブロック１４は、それぞれのサブキャリアの変調方式を検出することにより第１の部分情報１３を復号する。グラマーにしたがって、インデックスに関連づけられたキャリアに、検出された変調方式の値を指定する。インデックスルの並び順にしたがって整理された指定値は、図４（ｇ）に示すように、第１の部分情報１１を表すデータワード２２を与える。
【０１０３】
キャリア内復調ブロックは、サブキャリアへの変調方式の割り当てを特定するデータ１７を受け取る。キャリア内復調ブロックは、変調方式Ｍ１を用いていることが特定されたサブキャリアに（変調方式Ｍ１に対して）好適な復調技術を用いることにより第２の部分情報１５を復号する。この復号により、第２の部分情報１５を再生したデータワード２４が生成される。キャリア内復調ブロックは、変調方式Ｍ２を用いていることが特定されたサブキャリアに（変調方式Ｍ２に対して）好適な復調技術を用いることにより第３の部分情報１５を復号する。この復号は、第３の部分情報４０を再生したデータワード４４を生成する。
【０１０４】
結合ブロック３２は、第１の部分情報１３と、第２の部分情報１５と、第３の部分情報４０を結合し、情報１１’を再生する。
【０１０５】
第１の変調方式Ｍ１と、第２の変調方式Ｍ２と、は、異なる次数を有する。図示した例では、第１の変調方式Ｍ１の方が、第２の変調方式Ｍ２よりも高い次数を有する。第１の変調方式は、シンボル長Ｌ１＝２の符号変調を用いる。第２の変調方式は、Ｌ１とは異なるシンボル長Ｌ２の符号変調を用いる。この例では、第２の変調方式は、シンボル長Ｌ２＝１であり、低次である（Ｌ２＜Ｌ１）。
【０１０６】
第１の変調方式Ｍ１として、例えば、Ｍ−ＱＡＭ変調を用いることができる。第２の変調方式Ｍ２として、例えば、２値位相シフト変調（ＢＰＳＫ）を用いることができる。
【０１０７】
これを実施することにより、前述した実施形態におけるオンオフ変調に比べて、スペクトル効率を向上させることができる。しかし、受信機３０における複雑さの増大よりコストが増加する。
【０１０８】
図１のブロック６では、どの変調方式をどのサブキャリアに割り当てるかを意図したグラマーにしたがって、どの変調方式をそのサブキャリアに割り当てるかを選択することにより、第１の部分情報１３をコード化する。図３（ｄ）の例では、グラマーは、第１の部分情報１３におけるビット値１に変調方式Ｍ１を割り当て、第１の部分情報１３におけるビット値０に変調方式Ｍ２を割り当てることがわかる。このグラマーは、第１の情報の１つの特有なコード化スキームを定義している。
【０１０９】
別のグラマーを用いて異なるコード化スキームを定義することも可能である。
【０１１０】
例えば、別のグラマーでは、第１の部分情報１３におけるビット値０に変調方式Ｍ１を割り当て、第１の部分情報１３にけるビット値１に変調方式Ｍ２を割り当てることができる。このグラマーは、異なる第１の情報のコード化スキームを定義する。
【０１１１】
図５は、複数の異なるコード化スキームから１つのコード化スキームを選択する方法５０を模式的に表す。異なるコード化方式のそれぞれは、第１の部分情報１３の群に対する異なる変調方式の割り当てを有している。
【０１１２】
ブロック５２では、第１の部分情報１３を解析する。
【０１１３】
第１の部分情報１３への第１のコード化スキームの割り当てを想定することができる。そして、第２の部分情報１５のコード化に対して利用可能なバンド幅を表す定量的な値を決定することができる。
【０１１４】
第１の部分情報１３への第２のコード化スキームの割り当てを想定することができる。そして、第２の部分情報１５のコード化に対して利用可能なバンド幅を表す定量的な値を決定することができる。
【０１１５】
ブロック５３では、最大の利用可能なバンド幅を有するコード化スキームが選択される。選択されたコード化スキームは、少なくとも２つの異なる変調方式が、第１の部分情報１３に依存して、複数のサブキャリアの間でどのように割り当てられるかを決定し、残りの部分情報に対して利用可能なバンド幅を最大化する。
【０１１６】
一例として、第１の部分情報１３が情報ビット１１０１０１１０を有する場合を考える。第１の部分情報は、第１の群である情報ビット｛１１＿１＿１１＿｝と、第２の群である｛＿＿０＿０＿＿０｝と、を有する。
【０１１７】
第１のコード化スキームによれば、第１の部分情報におけるビット値１は、変調方式Ｍ１に関連づけられ、第１の部分情報におけるビット値０は、変調方式Ｍ２に関連づけられる。変調方式Ｍ１は符号コード化に対応し、変調方式Ｍ２は、キャリアの抑制（オンオフ変調）に対応する。結果として、第１の変調方式Ｍ１に割り当てられる５つのサブキャリアがあり、それぞれは、１つのシンボルを伝送することができる。したがって、バンド幅は、５シンボルである。
【０１１８】
第２のコード化スキームによれば、第１の部分情報におけるビット値１は、変調方式Ｍ２に関連づけられ、第１の部分情報におけるビット値０は、変調方式Ｍ１に関連づけられる。変調方式Ｍ１は符号コード化に対応し、変調方式Ｍ２は、キャリアの抑制（オンオフ変調）に対応する。結果として、第１の変調方式Ｍ１に割り当てられる３つのサブキャリアがあり、それぞれは、１つのシンボルを伝送できる。したがって、バンド幅は、３シンボルである。
【０１１９】
このように、第１のコード化スキームが選択され、使用される。第１の群（ビット値１）および第２の群（ビット値０）のうちの大きな群が、この例におけるコード化スキームを決定する。第１の部分情報の大きな群は、ブロック５２において、第１の部分情報１３のハミングウェイト（Hamming weight）を計算することにより特定することができる。
【０１２０】
利用可能なバンド幅は、５シンボルであり、第２の部分情報１５は、４つのシンボルでコード化することができる。したがって、１つの付加的なシンボルを利用できる。いくつかの実施形態では、第２の部分情報の１つのシンボルのコード化のために、このシンボルが用いられる。この縮退したコード化はその品質を高める。他の実施形態では、このシンボルは、選択されたコード化スキームを受信機３０に示すために用いられる。第１の部分情報１３の他の構成では、１つ以上の利用可能な余りのシンボルが生じることがあり、これらのシンボルを縮退したコード化、および、選択されたコード化スキームを示すために用いることができる。
【０１２１】
他の例として、第１の部分が情報ビット０００１０１１０を有する状態を考える。第１の部分情報１３は、情報ビットの第１の群｛００＿０＿００＿｝と、情報ビットの第２の群｛＿＿１＿１＿＿１｝と、を有する。
【０１２２】
第１のコード化スキームによれば、第１の部分情報におけるビット値０は、変調方式Ｍ１に関連付けられ、第１の部分情報におけるビット値１は、変調方式Ｍ２に関連付けれらる。変調方式Ｍ１は、符号コード化に対応し、変調方式Ｍ２は、キャリアの抑制（オンオフ変調）に対応する。結果として、第１の変調方式Ｍ１に割り当てられる５つのサブキャリアがあり、それぞれは、１つのシンボルを伝送することができる。したがって、バンド幅は、５シンボルである。
【０１２３】
第２のコード化スキームによれば、第１の部分情報におけるビット値０は、変調方式Ｍ２に関連付けられ、第１の部分情報におけるビット値１は、変調方式Ｍ１に関連付けれらる。変調方式Ｍ１は、符号コード化に対応し、変調方式Ｍ２は、キャリアの抑制（オンオフ変調）に対応する。結果として、第１の変調方式Ｍ１に割り当てられる３つのサブキャリアがあり、それぞれは、１つのシンボルを伝送することができる。したがって、バンド幅は、３シンボルである。
【０１２４】
このように、第１のコード化スキームが選択され、使用される。第１の群（ビット値０）および第２の群（ビット値１）のうちの大きな群（ビット値０）が、この例におけるコード化スキームを決定する。第１の部分情報１３の大きな群は、ブロック５２において、第１の部分情報１３のハミングウェイト（Hamming weight）を計算することにより特定することができる。
【０１２５】
利用可能なバンド幅は、５シンボルであり、第２の部分情報１５は、４つのシンボルでコード化することができる。したがって、１つの付加的なシンボルを利用できる。いくつかの実施形態では、第２の部分情報の１つのシンボルのコード化のために、このシンボルが用いられる。この縮退したコード化はその品質を高める。他の実施形態では、このシンボルは、受信機に選択されたコード化スキームを示すために用いられる。第１の部分情報１３の他の構成では、１つ以上の利用可能な余りのシンボルが生じることがあり、これらのシンボルを縮退したコード化、および、選択されたコード化スキームを示すために用いることができる。
【０１２６】
コード化装置は、第１の部分情報１３をコード化するために複数の異なるコード化スキームのいずれか１つを使用できる。そして、受信機３０は、これを考慮しておく必要がある。
【０１２７】
１つの実施形態では、受信機は、使用されたコード化スキームに関して仮定を置かず、予め定められたスキームのそれぞれに対し復号プロセスを実行する。この際、それぞれのスキームにより生成された情報１１のうちのどれが最も正確かを決定するために誤り訂正技術が使用される。しかしながら、これには、受信機３０における大幅な処理が求められ、バンド幅を低減する前方誤り訂正符号（forward error correcting codes）が必要となるだろう。
【０１２８】
他の実施形態によれば、コード化装置１０は、受信装置３０に使用されたコード化スキームを信号で送信する。その送信は、サブキャリア１９とは独立に行われるるか、サブキャリア１９を使用するだろう。例えば、その送信には、前述した余りのシンボルを用いることができる。
【０１２９】
上記の例では、周波数ドメインのリソースが、ドメインサブユニット（サブキャリア）に分割されている。それぞれのドメインサブユニットは、複数の多重化された無線チャネルの１つを構成する。それぞれのドメインサブユニットは直交し、ドメインリソースのインデックスにより別々に表示される。
【０１３０】
少なくとも２つの異なる変調方式を複数のサブキャリアに割り当てることによる第１の部分情報のコード化は、複数の無線チャネル／ドメインサブユニットに動作パターンを割り当てる。そのチャネル／サブユニットは、複数の潜在的な異なる状態を有し、第１の情報は、１つの状態をそれぞれのチャネル／サブユニットに割り当てることにより伝えられる。そして、状態の集合は、動作パターンを形成する。
【０１３１】
他の実施形態では、ドメインリソースが複数のドメインサブユニットに分割される。それぞれのドメインサブユニットは、複数の多重化された無線チャネルの１つを形成する。それぞれのドメインサブユニットは直交し、ドメインリソースインデックスにより、それぞれ別々に表示される。第１の部分情報のコード化は、複数の無線チャネル／ドメインサブユニットに動作パターンを割り当てる。そのチャネル／サブユニットは、複数の潜在的な異なる状態を有し、第１の情報は、それぞれのチャネル／サブユニットに１つの状態を割り当てることにより伝えられる。状態の集合は、動作パターンを形成する。
【０１３２】
このように、周波数ドメインのリソースの加えて異なるドメインのリソースを使用しても良いし、周波数ドメインのリソースの代わりに異なるドメインのリソースを使用することができる。ドメインの例は、チャネル／サブユニットがタイムスロットである時間ドメイン、チャネル／サブユニットがアンテナ位置またはビームである空間ドメインを含む。情報のコード化に用いることができる他の技術は、周期遅延ダイバーシティ（cyclic delay diversity）である。図８に示すように、この技術では、データストリームは、可変の遅延時間によりオフセットすることができる。情報は、特定の遅延に関連付けたデータ値によりコード化することができる。例えば、ビット値０（ゼロ）を遅延なしに関連付け、ビット値１を遅延がある場合に関連付けることができる。
【０１３３】
インデックス変調の概念は、異なるドメインサブユニット／チャネルサブユニットにＭ１およびＭ２の異なるグループを対応付けることにより、多重ドメイン／チャネル（すなわち、空間、時間、周波数）に適用することができる。
【０１３４】
時間ドメインでは、伝送フレームは、均等な長さ（必然ではないが）の小さな時間単位に分割される（タイムスロット）。前述したサブキャリアのオンオフ変調（ＯＯＫ）と同じように、それぞれのタイムスロットにインデックスを与え、それぞれのタイムスロットに、異なる情報を割り当てることができる。このように、第１の情報１０は、第１のスロットに変調された情報（第２の情報）を含ませ、第２のタイムスロットを空に保持することを許容することにより、２つの連続したタイムスロットに割り当てても良い。
【０１３５】
空間ドメインでは、ビーム形成システムのようなＭＩＭＯ（multiple input multiple output）システムにおいて、多重ビームを有し、そのビームにインデックスを与える。そして、第１のビームに変調された情報（第２の情報）を搬送させ、第２のビームが情報を搬送することを妨げる（すなわち、オフに切り替える）ことを許容することにより、第１の情報１０を２つの隣接するビームにコード化することができる。
【０１３６】
同時に２以上のドメインを用いることができる。第１の情報は、それぞれがドメインに対応する小区分に分割される。
【０１３７】
例えば、図７を考える。この図は、周波数ドメインにおける４つのチャネル／サブユニットを用いた、第１の情報の第１の小区分１１０１のコード化と、時間ドメインにける４つのサブユニット／チャネルを用いた第２の小区分のコード化と、を表している。
【０１３８】
２値ワード１１０１に関連付けられる４つのサブキャリア、および、２値ワード１００１に関連付けられる４つのタイムスロットのシナリオを考える。
【０１３９】
周波数ドメインに対して、それぞれサイズ２の変調レベル、すなわち、Ｇ１：｛Ｍ１：オフ、Ｍ２：８−ＱＡＭ｝およびＧ２：｛Ｍ１：ＢＰＳＫ、Ｍ２：４−ＱＡＭ｝の２つのグループを定義することができる。
【０１４０】
そして、２値ワード１１０１は、Ｇ１Ｇ１Ｇ２Ｇ１として周波数ドメインに当てはめることができる。
【０１４１】
同様に、２値ワード１００１は、Ｍ１Ｍ２Ｍ２Ｍ１として時間ドメインに当てはめることができる。その結果、図に示す時間−周波数ブロック（チャンク）が得られる。
【０１４２】
上記の例では、第１の情報の第１の小区分の周波数ドメインを用いたコード化、および、第２の小区分の時間ドメインを用いたコード化、すなわち、２次元のコード化が示されているが、第１の情報は、２次元以上のコード化も可能であることが理解されるであろう。１つの例は、図９に示す、周波数ドメイン、時間ドメインおよび空間ドメインを用いたコード化、すなわち、３次元のコード化である。
【０１４３】
図９の例では、例えば、前述したＭＩＭＯシステムの使用を介して、第１の情報の第１の小区分は、周波数ドメインを用いてコード化され、第１の情報の第２の小区分は、時間ドメインを用いてコード化され、第１の情報の第３の小区分は、空間ドメインを用いてコード化される。図９の例は、周波数ドメインにおける４つのサブキャリアｆ１、ｆ２、ｆ３およびｆ４と、時間ドメインにおける４つのタイムスロットｔ１、ｔ２、ｔ３およびｔ４と、空間ドメインにおける空間的に分離された４つのビームｓ１、ｓ２、ｓ３およびｓ４と、が表されている。周波数サブキャリア、タイムスロットまたはビームの他の量も使用可能であり、それぞれの量が同じである必要はないことが理解されるだろう。
【０１４４】
周波数ドメインに対して、変調スキームの２つのグループＧ３およびＧ４が定義され、それぞれのグループは、４つの変調方式Ｇ３：｛Ａ、Ｂ、Ｃ，Ｄ｝と、Ｇ４：｛Ｗ、Ｘ、Ｙ、Ｚ｝と、を含む。前述した例のように、変調方式Ａ、Ｂ、Ｃ、Ｄ、Ｗ、Ｘ、ＹおよびＺは、良く知られたＯＯＫ、ＢＰＳＫ、４−ＱＡＭなどの広い範囲の区別できる好適な変調方式から選択することができる。この方法では、特定の周波数サブキャリアに対し、第１のグループＧ３から変調方式Ａ、Ｂ、ＣまたはＤを用いて、２進値の１を示し、特定の周波数サブキャリアに対し、第２のグループＧ４からＷ、Ｘ、ＹまたはＺを用いて、２進値の０を示す。
【０１４５】
時間ドメインに対して、変調方式の２つのグループＧ５およびＧ６が定義され、それぞれのグループは、４つの変調方式Ｇ５：｛Ａ、Ｃ、Ｗ、Ｙ｝と、Ｇ６：｛Ｂ、Ｄ、Ｘ、Ｚ｝と、を含む。特定のタイムスロットに対し、グループＧ５から変調方式Ａ、Ｃ、ＷまたはＹを用いて、２進値の１を示し、特定のタイムスロットに対し、グループＧ６からＢ、Ｄ、ＸまたはＺを用いて、２進値の０を示す。
【０１４６】
空間ドメインに対して、変調方式の２つのグループＧ７およびＧ８が定義され、それぞれのグループは、４つの変調方式Ｇ７：｛Ａ、Ｂ、Ｗ、Ｘ｝と、Ｇ８：｛Ｃ、Ｄ、Ｙ、Ｚ｝と、を含む。特定のビームに対し、グループＧ７から変調方式Ａ、Ｂ、ＷまたはＸを用いて、２進値の１を示し、特定のビームに対し、グループＧ８からＣ、Ｄ、ＹまたはＺを用いて、２進値の０を示す。
【０１４７】
したがって、図９を参照すると、タイムスロットまたはビームとは無関係に、グループＧ３から変調方式Ａ、Ｂ、ＣまたはＤが、周波数サブキャリアｆ１、ｆ２およびｆ４のそれぞれに用いられ、グループＧ４から変調方式Ｗ、Ｘ、ＹまたはＺが、周波数サブキャリアｆ３に用いられる。したがって、この場合、２値ワード１１０１は、周波数ドメインを用いてコード化される。
【０１４８】
時間ドメインでは、グループＧ５から変調方式Ａ、Ｃ、ＷまたはＹがタイムスロットｔ１およびｔ４のそれぞれに用いられ、グループＧ６から変調方式Ｂ、Ｄ、ＸまたはＺがタイムスロットｔ２およびｔ３に用いられる。したがって、この場合、２値ワード１００１が時間ドメインを用いてコード化される。
【０１４９】
同様に、グループＧ７から変調方式Ａ、Ｂ、ＷまたはＸだけが空間ビームｓ１およびｓ２に用いられ、グループＧ８から変調方式Ｃ、Ｄ、ＹまたはＺだけが空間ビームｓ３およびｓ４に用いられる。したがって、この場合、２値ワード１１００は、空間ドメインを用いてコード化される。
【０１５０】
このように、情報の第１のブロックからのコード化が可能な情報量を増やすために３次元または３つ以上のドメインを用いることができる。図９に関連して説明した、周波数ドメイン、時間ドメインおよび空間ドメインに代えて、または、それに加えて、他のドメインまたは技術を使用できることが理解されるであろう。
【０１５１】
多重ドメインを用いて第１の部分情報をコード化する他のスキームを図１０に示す。この例では、それぞれのドメインにおける離散したドメインのそれぞれに１つの値が指定される。図１０の例では、周波数ドメインにおけるそれぞれのサブキャリア、時間ドメインにおけるそれぞれのタイムスロット、および、空間ドメインにおけるそれぞれのビームには、００、０１、１０または１１のような２進値が指定される。したがって、特定の周波数サブキャリアによって形成される範囲、特定のビームの上、および、特定のタイムスロットに信号を与えることは、特定の周波数サブキャリア、タイムスロットおよびビームに関連付けた値を結合することにより形成される１つの値の表示となるだろう。図１０に示す例では、２進値１０に関連付けた周波数サブキャリアを用いて信号を与え、２進値１０に関連付けたタイムスロットに信号を与え、そして、２進値０１に関連付けたビームを用いて信号を与える。したがって、この信号は、その値１０１００１を表す。このように、コード化できる全ビット数は、ｌｏｇ２（Ｎｆ）＋ｌｏｇ２（Ｎｓ）＋ｌｏｇ２（Ｎｔ）である。ここで、Ｎｆは全ての周波数サブキャリアの数、Ｎｓは全てのビームの数、Ｎｔは全てのタイムスロットの数である。
【０１５２】
周波数サブキャリア、タイムスロットおよびビームにより形成されるそれぞれのチャネル（bin）に与えられる信号は、第２の部分情報をコード化するためにＭ−ＱＡＭのような第２の変調スキームに従う。この場合、それぞれの伝送により送られる全ビット数は、
ｌｏｇ２（Ｎｓ）＋ｌｏｇ２（Ｎｔ）＋ｌｏｇ２（Ｎｆ）＋ｌｏｇ２（Ｍ）
である。
【０１５３】
周波数サブキャリアの数を６４とし、サンプリング周波数を２５ＭＨｚとすれば、１つのタイムスロットの間隔は、
１／ｆｓ×Ｎｆ＝２．５６μｓ
である。
【０１５４】
この例を、単位伝送あたり４つのタイムスロットが与えられ、３２ビームの送信機が与えられ、２５６−ＱＡＭを用いるように拡張すれば、１つの伝送に対して、この例における最大データレートは、
ｌｏｇ２（３２）＋ｌｏｇ２（４）＋ｌｏｇ２（６４）＋ｌｏｇ２（２５６）／（４×２．５６μｓ）＝２．０５Ｍｂｐｓ
である。
【０１５５】
この方法を用いることにより、大幅なエネルギーを削減することができる。この例におけるチャネル（bin）数は、４×３２×６４＝８１９２であり、その伝送にエネルギーの１／８１９２が使用されることを意味する。
【０１５６】
前述した例では、１以上の変調スキームがチャネル（bin）内におけるコード化に用いられる。例えば、周波数ドメインのようなドメインの１つにおける全てのサブキャリアを伝送に用い、ＯＯＫにような第１の変調方式を周波数サブキャリアの第１の群に用い、２５６−ＱＡＭのような第２の変調方式を残りのサブキャリアに用いたとすれば、得られるデータレートは、（４つのタイムスロット、３２のビーム、ＯＯＫによりコード化された３２の周波数サブキャリア、２５６−ＱＡＭを用いてコード化された３２の周波数サブキャリアに対し）
ｌｏｇ２（４）＋ｌｏｇ２（３２）＋３２サブキャリア（×チャネル当たり１ｂｉｔのＯＯＫ）＋３２サブキャリア（×チャネル当たり８ｂｉｔの２５６−ＱＡＭ）／（４×２．５６μｓ）＝２８．８１Ｍｂｐｓ
である。
【０１５７】
この例では、全てのタイムスロット、全ての送信機、および、全ての周波数サブキャリアが使用された場合に消費されるエネルギーの１／（Ｎｔ×Ｎｓ×２）＝１／１３０が使用される。
【０１５８】
これらの多重ドメイン技術を適用するために適した装置は、図１１に表される。送信機１００５は、データを少なくとも第１の区分と、第２の区分とに分割する分配器１０１０と、少なくとも２つ、好ましくは、少なくとも３つのドメインのサブキャリアを信号伝送のために指定して第１の区分にキャリア間変調を適用するモジュール１０１５と、を備えることが分かる。それぞれのドメインにおけるそれぞれのサブキャリアは、１つの値に関連付けられる。それぞれのドメインにおけるそれぞれのキャリアに関連付けられる値を記憶するためにグラマーが用いられる。第１のデータは複数の部分に分割され、それぞれの部分は、第１のデータのその部分の値に等価な関連付けられた値を持って１つのドメインにおける１つのサブキャリアに関連付けられる。例えば、ＯＯＫまたは２５６−ＱＡＭのような変調スキームを適用することによりキャリア内変調を用いて第２のデータをコード化するモジュール１０２０も設けられる。
【０１５９】
信号を伝送するために使用されるそれぞれのドメインにおけるサブキャリアを決定し、それぞれのドメインにおけるどのサブキャリアがどの値を表示するかを示すグラマーを適用することにより、第１のデータを再構成することができる。この信号を受信し、受信機１０２５は、第２の部分情報を再生するために適切な復号器１０３５を用いて受信した信号を復号化する。モジュール１０３０は、伝送に用いられたサブキャリアを特定するために設けられ、第１の部分情報を決定するために、特定されたサブキャリアをグラマーに照合する。そして、第１の情報および第２の情報の部分を結合器１０４０を用いて結合することにより、最初の情報信号を再生することができる。
【０１６０】
上記の説明では、様々な例を参照した。１つの例の参照は、変形例を暗示するものであり、必然的でなくとも、明示的に開示された実施例を使用できることを理解すべきである。
【０１６１】
ここで使用された直交という言葉は、厳密な直交または実質的な直交を意味する（すなわち、特別な意味で相関することではない）。
【０１６２】
図１に表したブロックは、方法におけるステップまたはコンピュータプログラムにおけるコードの区切り、もしくは、その両方を表す。そのブロックの特定の順序の表現は、要求により必然的に実行されるものではなく、ブロックの好ましい順序、および、ブロックの並びおよび配置は、変更できるものである。さらに、いくつかのステップは省略することができる。
【０１６３】
本発明の実施形態は、様々な例を参照して前段に説明されているが、実施例の変形は、クレームされた発明の範囲から逸脱することなく実施できることを理解すべきである。
【０１６４】
前述の特性は、明示的に説明された組み合わせ以外の組み合わせにより使用できるものである。
【０１６５】
いくつかの特性を参照して機能を説明したが、これらの機能は、説明の有無に関係なく他の特性により実行することができるであろう。
【０１６６】
いくつかの実施形態を参照して特性を説明したが、これらの特性は、説明の有無に関わらず他の実施形態においても、存在するものである。
【０１６７】
前述した明細書では、特定の重要性を確信した発明の概念への注目を集める記述を試みているが、出願人は、上文に言及された、また、図面に示された、もしくは、その両方である特許性を有するいかなる特徴、または、その組み合わせに関し、特定の強調の有無に関わらず保護を主張していることを理解すべきである。
【図１】
2013504916.tif 000003
【図２】
2013504916.tif 000004
【図３】
2013504916.tif 000005
【図４】
2013504916.tif 000006
【図５】
2013504916.tif 000007
【図６】
2013504916.tif 000008
【図７】
2013504916.tif 000009
【図８】
2013504916.tif 000010
【図９】
2013504916.tif 000011
【図１０】
2013504916.tif 000012
【図１１】
2013504916.tif 000013
【国際調査報告】
2013504916.tif 000014
2013504916.tif 000015